(57)【要約】【課題】バーナ本体１０と被加熱物Ｃを支持する支持部材（ごとく）とが一体となったバーナＡを提供する。【解決手段】バーナＡは、内筒１１と外筒１２との間の空間１３がガス流路とされたバーナ本体１０と、内管１１内に上方に向けて付勢された状態の棒部材５０とを備える。棒部材５０はごとくを兼ねると共に、外的負荷が作用しない状態ではバーナ本体１０の先端から一定距離だけ突出した上限位置に位置決めがなされ、この状態では燃焼ガスの供給を遮断する。付勢力より大きな外的負荷が付勢力に対向する方向に作用した場合には、その負荷に応じて前記バーナ本体１０の基部側に向けて移動し、燃焼ガスの供給を可能とする。このバーナＡの多数本を天板７２上の加熱調理範囲全体に偏りなく分散配置することで、天板上の加熱調理範囲内の任意の位置に任意の形状の被加熱物Ｃを置いても、被加熱物Ｃに対して効率の良い加熱が可能である加熱調理器Ｂを構成することができる。【選択図】図２
2013072557.tif 000002
【特許請求の範囲】
【請求項１】
内筒と外筒とを有しその間の空間がガス流路とされかつ先端側が火炎口とされているバーナ本体と、前記内筒内に前記火炎口側に向けて付勢された状態で内筒の軸線方向に移動自在に配置されている棒部材とを備え、前記棒部材は、外的負荷が作用しない状態ではバーナ本体の前記先端から一定距離だけ突出した上限位置に位置決めがなされており、付勢力より大きな外的負荷が付勢力に対向する方向に作用した場合には、その負荷に応じて前記バーナ本体の基部側に向けて移動可能となっていることを特徴とするバーナ。
【請求項２】
火炎口から噴出する燃焼ガスに対する着火手段を備えることを特徴とする請求項１に記載のバーナ。
【請求項３】
前記棒部材が前記上限位置にあるときに燃焼ガスが前記ガス流路に流入するのを阻止するガス遮断手段を備えることを特徴する請求項１または２に記載のバーナ。
【請求項４】
前記バーナ本体の先端は開放しており、該開放した先端が火炎口とされていることを特徴とする請求項１ないし３のいずれか一項に記載のバーナ。
【請求項５】
前記バーナ本体の先端は前記内筒の先端部を除き閉鎖されており、前記火炎口は火炎がバーナ本体の軸線に直交する方向に噴出するようにされた複数個の火炎口スリットで形成されていることを特徴とする請求項１ないし３のいずれか一項に記載のバーナ。
【請求項６】
前記棒部材の移動を検知する検知手段を備えることを特徴とする請求項１ないし５のいずれか一項に記載のバーナ。
【請求項７】
天板上の加熱調理範囲全体に偏りなく請求項１ないし６のいずれか一項に記載のバーナの複数本が分散配置されてなることを特徴とする加熱調理器。
【発明の詳細な説明】
【技術分野】
【０００１】
本発明は、主に加熱調理器の熱源として用いられるバーナに関する。
【背景技術】
【０００２】
バーナを備えた加熱調理器は、ガスコンロ等の名称でよく知られている。通常のガスコンロは、天板に形成した１個から複数個の開口部のそれぞれに、円環状の火炎口を持つバーナが配置され、該開口部を囲むようにして、鍋やフライパン等の被加熱物をバーナ上に支持するための支持部材（ごとく）が設けられている。
【０００３】
特許文献１には、美観と掃除のし易さに優れたガスコンロが記載されており、そこでは、平板状の天板と、天板に形成された天板開口部と、天板開口部の下方に離間して設けられて燃料ガスを燃焼させ天板開口部の下方に火炎を形成して被加熱物を加熱するバーナとを備え、天板の天板開口部の周囲には、被加熱物が載置される３つ以上の突起（支持部材）を、その周縁部が傾斜面状となる状態で天板から膨出する形状で形成している。
【先行技術文献】
【特許文献】
【０００４】
【特許文献１】特開２００５−２９１５６０号公報
【発明の概要】
【発明が解決しようとする課題】
【０００５】
従来用いられているガスコンロでは、１つのバーナに対して１つの被加熱物を配置するのが原則であり、例えば３つのバーナを備えたガスコンロでは、使用者は、最大３つの被加熱物を選択的に使用することができる。しかし、被加熱物を配置する位置は各バーナの直上位置に限られており、その位置に被加熱物が適正に置かれるように、天板における各バーナの周囲には、被加熱物を安定的に支持するための支持部材（ごとく）が設けられている。しかし、被加熱物が重量物の場合や被加熱物の形状や大きさによっては、支持部材（ごとく）上の適正な位置に被加熱物を置くことが困難になることが起こり得る。その場合には、効率の良い加熱を受けることができない。さらに、被加熱物が重たい場合、使用者によっては必要なときにバーナからバーナへ被加熱物を移し替えるのが困難となっている。
【０００６】
また、ガスコンロを使用する者によっては、様々な大きさと形状の調理具（鍋やフライパンのみでなく鉄板等も含まれる）を使用することを望む場合があるが、従来のガスコンロでの支持部材（ごとく）の形状と大きさはほぼ規格化されたものであり、それらの要請に的確に答え得るものとはなっていない。
【０００７】
本発明は、このような事情に鑑みてなされたものであり、天板上の加熱調理範囲内の任意の位置に任意の形状の被加熱物を置いても、該被加熱物に対して効率の良い加熱が可能であり、また、一度天板上の加熱調理範囲内の適宜の位置に置いた後であっても、必要時には被加熱物を容易に他の位置に移動することができるようにされた加熱調理器を構成することのできるバーナを提供することを課題とする。また、そのバーナの複数本を寄せ集めて形成される加熱調理器を提供することを課題とする。
【課題を解決するための手段】
【０００８】
本発明によるバーナは、内筒と外筒とを有しその間の空間がガス流路とされかつ先端側が火炎口とされているバーナ本体と、前記内管内に前記火炎口側に向けて付勢された状態で内管の軸線方向に移動自在に配置されている棒部材とを備え、前記棒部材は、外的負荷が作用しない状態ではバーナ本体の前記先端から一定距離だけ突出した上限位置に位置決めがなされており、付勢力より大きな外的負荷が付勢力に対向する方向に作用した場合には、その負荷に応じて前記バーナ本体の基部側に向けて移動可能となっていることを特徴とする。
【０００９】
また、本発明による加熱調理器は、上記のバーナの複数本が天板上の加熱調理範囲全体に偏りなく分散配置されてなることを特徴とする。
【００１０】
本発明によるバーナは、一本のみで加熱源として使用することは使用態様としては予定せず、その複数本を群として配置した状態で加熱源として使用することを、基本的な使用態様として予定する。
【００１１】
使用に際して、本発明によるバーナは、バーナ本体の軸線方向を垂直方向として配置され、内筒と外筒の間のガス流路には、燃焼ガス供給用の配管が接続される。非使用状態で、前記棒部材はバーナ本体の先端から一定距離だけ突出した上限位置に、適宜の付勢手段により位置決めがなされている。そして、その状態では、適宜の手段によって前記ガス流路への燃焼ガスの供給は遮断されている。バーナを加熱源として使用するときには、前記突出している棒部材の先端上に鍋等の被加熱物を置く。被加熱物の重量によって、棒部材は付勢手段の上方への付勢力に抗して、バーナ本体の基部側に向けて移動する。その移動を適宜の検知手段によって検知して、ガス流路への燃焼ガスの供給を開始する。それと同時に、適宜の手段により火炎口から噴出する燃焼ガスに対する着火を行う。バーナの上に被加熱物が置かれている間は、前記棒部材はバーナ本体の基部側に向けて下方に移動した状態に維持されるので、ガス流路への燃焼ガスの供給は継続し、バーナは燃焼を続ける。
【００１２】
所要の加熱が行われたことを判断して、使用者が被加熱物を上方に持ち上げるか、横移動させる。それにより、棒部材に作用していた下方への押圧力は開放される。押圧力の開放により、棒部材は付勢手段の付勢力によって上方に移動し、当初のバーナ本体の先端から一定距離だけ突出した上限位置に復帰する。この復帰を適宜の検知手段によって検知して、当該バーナへの燃焼ガスの供給を停止する。
【００１３】
上記のように本発明によるバーナは、内管内に火炎口側に向けて付勢された状態で内管の軸線方向に移動自在に配置されている棒部材の移動によって、燃焼ガスの供給と停止および燃焼ガスへの着火のタイミングが決定されるとともに、バーナ燃焼時においては、その先端部は、バーナ上に置かれた被加熱物のための支持部材（ごとく）としての機能も果たすことができる。
【００１４】
したがって、本発明によるバーナの多数本を天板上の加熱調理範囲全体に偏りなく分散配置して構成される加熱調理器においては、任意に選択した適数のバーナ上に被加熱物を置くことで、その被加熱物に対する加熱が可能となる。また、被加熱物に対するバーナからの加熱が継続している状態で、任意の横方向に被加熱物を移動した場合でも、被加熱物によって新たに棒部材が下方に押し下げられたバーナは燃焼を開始することができ、移動することで棒部材に対する下方への付勢力が解消したバーナの燃焼を停止させることができる。そのことから、本発明による加熱調理器は、使用の自由度が大きくなり、高齢者等にとって使いやすい加熱調理器となる。
【００１５】
本発明によるバーナは、火炎口から噴出する燃焼ガスに対する着火手段を備えていてもよく、備えていなくてもよい。着火手段を備えるバーナでは、燃焼ガスに対する着火は自己の持つ着火手段により行われる。一方、着火手段を備えないバーナでは、外部の適宜の着火手段によって着火を行うか、隣接するバーナの火炎により着火を行うようにする。
【００１６】
本発明によるバーナは、棒部材がその上限位置にあるときに燃焼ガスがガス流路に流入するのを阻止するガス遮断手段を備えていてもよく、備えていなくてもよい。ガス遮断手段を備えるバーナでは、当該ガス遮断手段を操作することで、ガス流路への燃焼ガスの遮断と供給を行うことができる。一方、そのようなガス遮断手段を備えないバーナの場合には、当該バーナに燃焼ガスを供給するガス供給用の配管にガス遮断手段を取り付け、そのガス遮断手段を操作することで、当該バーナのガス流路に対する燃焼ガスの遮断と供給を行うことができる。
【００１７】
本発明によるバーナの一形態では、前記バーナ本体の先端は開放しており、該開放した先端が火炎口とされている。また、他の態様では、前記バーナ本体の先端は前記内筒の先端部を除き閉鎖されており、前記火炎口は火炎がバーナ本体の軸線に直交する方向に噴出するようにされた複数個の火炎口スリットで形成されている。前者の態様はバーナの構成を簡素化できる利点がある。一方、後者の態様では、前者と比較して横方向に広がりを持つ火炎が得られるので、隣接して配置されたバーナから噴出する燃焼ガスへの火移り（着火）が確実に行えるようになる利点がある。
【００１８】
本発明によるバーナは、前記棒部材の移動を検知する検知手段を備えていてもよく、備えていなくてもよい。前者の場合には、その検知手段が検知した適宜の信号を制御部に送り、その制御部が、バーナに設けたガス遮断手段あるいは当該バーナに燃焼ガスを供給するガス供給用の配管に設けたガス遮断手段の開閉を制御する。後者の場合には、棒部材の移動と機械的に連動する手段によって、直接的に、バーナに設けたガス遮断手段あるいは当該バーナに燃焼ガスを供給するガス供給用の配管にガス遮断手段の開閉を行うようにする。
【００１９】
本発明によるバーナの大きさは、バーナ一本に予定する燃焼量や加熱調理器として多数本を組み込むときの隣接するバーナ同士の距離等を考慮して適宜設定すればよい。一例として、バーナ本体は円筒体であり、その外径は１０〜２０ｍｍの範囲であり、内筒の内法直径は３〜６ｍｍの範囲であり、バーナ本体を形成する材料の板厚は２〜３ｍｍの範囲であるものが挙げられる。
【発明の効果】
【００２０】
本発明によれば、バーナ本体と被加熱物を支持する支持部材（ごとく）とが一体となったバーナが提供される。そのために、本発明によるバーナの多数本を天板上の加熱調理範囲全体に偏りなく分散配置することで、天板上の加熱調理範囲内の任意の位置に任意の形状の被加熱物を置いても、該被加熱物に対して効率の良い加熱が可能であり、また、一度天板上の加熱調理範囲内の適宜の位置に置いた後であっても、必要時には被加熱物を容易に他の位置に移動することができる加熱調理器を構成することができる。
【図面の簡単な説明】
【００２１】
【図１】本発明によるバーナの一例を示す斜視図。
【図２】図１に示すバーナの断面図。
【図３】バーナ本体の上端部近傍を示す拡大斜視図。
【図４】図１に示すバーナを多数本組み込んで形成された加熱調理器を説明する図。
【図５】加熱調理器を説明するための模式的断面図。
【発明を実施するための形態】
【００２２】
以下、実施の形態に基づき本発明を説明する。図１は本発明によるバーナの一形態を斜視図で示し、図２はそれを断面図で示している。
【００２３】
この例において、バーナＡは、基本的な構成として、バーナ本体１０と棒部材５０とを備える。バーナ本体１０は、好ましくは円筒体である内筒１１と、該内筒１１を外側から囲んでいる外筒１２とを備える。内筒１１および外筒１２は水平断面が楕円形状の筒体であってもよい。この例において、内筒１１の内径は６ｍｍ、外径は９ｍｍ、外筒１２の内径は１３ｍｍ、外径は１５ｍｍの円筒体であり、内筒１１と外筒１２の間には４ｍｍ幅の空間１３が形成されている。
【００２４】
図３の拡大図に示すように、外筒１２の上端には、火炎口形成部材１４が取り付けられている。該火炎口形成部材１４は、内径と外径が外筒１２と同じである周壁部１５と、前記空間１３を閉塞できる厚みを持つ上端部１６とで形成されており、周壁部１５には、周方向に等間隔で形成された縦長の火炎口スリット１７が適数だけ形成されている。また、前記上端部１６の内周面には内ねじ１８が形成されており、前記内筒１１の対向する面には外ねじ１９が形成されている。火炎口形成部材１４を内ねじ１８を外ねじ１９に螺合させた状態でねじ込むことにより、火炎口形成部材１４はその下端面を外筒１２の先端面に接着した状態で内筒１１と一体化される。それにより、バーナ本体１０における前記空間１３の上端側は閉鎖されると共に、バーナ本体１０の先端部には、火炎がバーナ本体１０の軸線に直交する方向に噴出するようにされた複数個の火炎口スリット１７が形成される。形状の異なる火炎口形成部材１４と交換することで、火炎口の数や形状を適宜変更することもできる。
【００２５】
内筒１１の下端には、貫通孔２０を備えた接続用ソケット２１の上方部がねじ込まれている。該接続用ソケット２１の中央部の外径は内筒１１の内径と同じとされており、その下方部には上方部と同様にねじが切られている。該ねじの切られた下方部には、上方を開放し底部を閉鎖した筒状体２２の上端部が螺合されている。
【００２６】
外筒１２の下端部には、外筒２の外径と同じ内径を持つ取り付け用ソケット２３の上端部が取り付けてあり、前記筒状体２２は、該取り付け用ソケット２３内に隙間を有した状態で収容されている。さらに、取り付け用ソケット２３の下端部には、ガス供給配管４０との継ぎ手２４が螺合されている。
【００２７】
内筒１１内には、前記した棒部材５０が摺動自在に挿入されている。詳細には、棒部材５０は、内筒１１の内径と同じ外径である支持部材５１と、両端にねじ５２、５３を備えた繋ぎ棒５４とを備える。支持部材５１は下端側にねじ穴を有し、該ねじ穴に前記繋ぎ棒５４の上端のねじ５２が螺合している。支持部材５１の上端部は大径部５５とされており、該大径部５５の上面側は滑らかな曲面をなしている。繋ぎ棒５４は接続用ソケット２１の貫通孔２０を通過してその下方にまで延出しており、該延出部に前記下端側のねじ５３が切られている。そして、ねじ５３には、内部にマグネット５６を収容した筒部材５７の上端が螺合されている。該筒部材５７の外径は前記した筒状体２２の内径に等しく、そのために、筒部材５７の上端面は接続用ソケット２１の下端面と当接することができる。
【００２８】
繋ぎ棒５４の適宜の位置には留め金５８が固定してあり、前記内筒１１の下端側に螺合している接続用ソケット２１の上端面と前記留め金５８の裏面との間にはコイルバネ５９が介装されている。また、支持部材５１の下端面には、所定長さの位置決め用部材６０が繋ぎ棒５４に沿うようにして取り付けてあり、その下端部は前記留め金５８の上面に当接している。
【００２９】
上記の形状であり、棒部材５０全体に、圧縮されたコイルバネ５９から上方に向けた付勢力を常時作用させるようにすることが可能であり、かつ、付勢力を受けているときの棒部材５０のバーナ本体１０の先端からの突出量は、筒部材５７の上端面と接続用ソケット２１の下端面との当接位置をバーナ本体１０の軸線方向のどの位置に設定するかで、調整することができる。図示の例では、１５〜２０ｍｍ程度突出するように設定されている。
【００３０】
また、支持部材５１を下方に向けて押圧することで、棒部材５０は、コイルバネ５９による上方への付勢力に抗して、内管１１内を下方に向けて摺動移動する。その移動の限界位置は、前記筒部材５７の底面が筒状体２２の内側底面に当接した位置である。したがって、前記筒部材５７あるいは筒状体２２の長さを適宜調整することで、棒部材５０の沈み込み限界距離を変えることができる。図示の例では、棒部材５０が下方限界位置に来たときに、前記支持部材５１の大径部５５の底面がバーナ本体１０の上端面と当接する位置となるように設定されている。
【００３１】
さらに、前記取り付け用ソケット２３の周側面には、前記筒部材５７の内部に収容したマグネット５６の移動範囲、すなわち、支持部材５１が下方に押し下げられることで棒部材５０が移動するときのマグネット５６の移動範囲をカバーできる大きさの磁気センサ６１が、上下方向に位置調整自在に取り付けてあり、該磁気センサ６１からの信号が制御部に送られるようになっている。なお、図で、６２は磁気センサ６１を移動するときの操作具である。
【００３２】
省略可能であるが、図示のものでは、前記した火炎口スリット１７の近傍に着火手段７０が取り付けられている。また、バーナＡの下方部分には、他の基材（例えば、加熱調理器の機枠等）に取り付けるときに用いられる取り付け具６３等も設けられている。
【００３３】
上記バーナＡの使用に当たっては、適宜の基台に１本あるいは複数本のバーナＡを立てた姿勢で取り付ける。そして、前記した継ぎ手２４を利用してガス供給配管４０を接続する。ガス供給配管４０から供給される燃焼ガスは、継ぎ手２４内の通路６４、取り付け用ソケット２３の内周面と筒状体２２の外周面との間の隙間、内筒１１と外筒１２との間の空間１３を順次通過して、すなわち、そこをガス流路として、バーナ本体１０の先端に形成した火炎口スリット１７から噴出する。噴出する燃焼ガス（予混合ガス）に適宜の手段で着火することにより、火炎が形成される。
【００３４】
ただし、本発明によるバーナＡでは、前記棒部材５０が上方に移動している状態では、前記ガス流路への燃焼ガスの供給は遮断されるようになっている。図示の例では、棒部材５０が上方限界位置にあるときの前記マグネット５６の位置が磁気センサ６１によって検知され、その位置信号が適宜の制御手段７３（図５参照）に送られる。制御手段７３は棒部材５０が上方限界位置にあることを示す信号を受けたときは、ガス供給配管４０に設けた開閉弁７１を遮断する信号を出す。
【００３５】
被加熱物が支持部材５１の上に乗ることで、棒部材５０が下方に移動するとそれにつれてマグネット５６も下方に移動し、その移動距離は磁気センサ６１によって検知され、制御手段７３に送られる。制御手段７３は、所定の移動距離が生じたことを認識すると、ガス供給配管４０に設けた開閉弁７１を開く信号を出す。それにより、はじめて燃焼ガスの供給が開始する。制御手段７３は、開弁信号と同時に着火手段７０に着火信号を送る。それにより、バーナＡの燃焼が始まる。
【００３６】
被加熱物を棒部材５０の上から取り去ると、棒部材５０はコイルバネ５９の付勢力で当初の上限位置に復帰する。その移動はマグネット５６の移動を伴うので、磁気センサ６１によって検知され、制御手段７３に送られる。制御手段７３は、棒部材５０が上限位置にまで達したことを認識するとガス供給配管４０に設けた開閉弁７１を閉じる信号を出し、火炎は消滅する。
【００３７】
図４、図５は、本発明によるバーナＡを用いて形成した加熱調理器Ｂの一例を示している。この加熱調理器Ｂでは、天板７２に対して、多数本の前記バーナＡが加熱調理範囲全体に偏りなく配置されている。各バーナＡは前記した火炎口スリット１７の部分が天板７２の上方に位置するようにして、等しい高さに取り付けられている。各バーナＡには、前記したように、開閉弁７１を備えたガス供給配管４０から燃焼ガスが供給される。また、各バーナＡと制御手段７３は信号線７４で結ばれており、前記した棒部材５０の位置情報が制御手段７３に送られると共に、制御手段７３はガス供給配管４０に取り付けた開閉弁７１に対して、開放遮断の信号を発信する。また、必要に応じて、着火手段７０に着火信号も発信する。
【００３８】
図示されるように、鍋等の被加熱物Ｃが置かれた領域にあるバーナＡでは、被加熱物Ｃの重さによってバーナの棒部材５０は押し下げられる。それにより、被加熱物Ｃが置かれた領域にあるバーナＡの群は燃焼を開始するが、それ以外のバーナＡの群は燃焼することはない。燃焼しているバーナＡの群での各棒部材５０の支持部材５１における大径部５５は、そのときに「ごとく」としても機能するので、置かれている被加熱物Ｃの姿勢も安定する。
【００３９】
この加熱調理器Ｂでは、使用者は、加熱調理範囲の任意の位置を選択して被加熱物Ｃを置き、調理することができる。被加熱物Ｃの大きさも任意であり、鉄板等の平板物を置いても、同じように燃焼が開始する。適宜の複数の箇所に複数の被加熱物Ｃを置き、同時に調理することも可能である。また、被加熱物Ｃを現在置いてある位置から、横方向に滑らせるように移動させても、火炎は被加熱物Ｃの移動に追従して移動し、被加熱物Ｃが存在しなくなった場所のバーナは自動的に消火する。この横移動は、棒部材５０の大径部５５の上面側が滑らかな曲面をなしていることで、被加熱物Ｃを持ち上げることなく、容易に行うことができる。
【００４０】
また、図示の加熱調理器Ｂのように、隣接するバーナＡを比較的に近接して配置する場合には、１つのバーナの火炎が隣接するバーナから噴出する燃焼ガスに飛び火することで着火できるので、すべてのバーナに着火手段７０を取り付けなくても、着火手段７０を備えたバーナと備えないバーナとを適切に配置することで、加熱調理器Ｂとしての機能を果たすことができる。
【００４１】
図示しないが、バーナＡの他の形態として、マグネット５６と磁気センサ６１とによる棒部材５０の位置検知手段に代えて、前記筒状体２２の内側底面に適宜の接触スイッチを配置しておき、該筒部材５７の底面が該接触スイッチと接触したことを検知して、制御手段７３が開閉弁７１の開信号を出し、接触が解除したことを検知して開閉弁７１の閉信号を出すような機構としてもよい。さらに、バーナ本体１０の上端面に圧力センサ等を取り付け、棒部材５０の前記支持部材５１に圧力センサに対する接触部材を取り付けるようにしてもよい。その際に、前記大径部５５の裏面を圧力センサに対する接触部材として利用する態様も可能である。従来知られたフォトカップラーにより位置検知手段を採用することもできる。
【符号の説明】
【００４２】
Ａ…バーナ、
Ｂ…バーナＡを取り付けた加熱調理器、
Ｃ…被加熱物、
１０…バーナ本体、
１１…内筒、
１２…外筒、
１３…内筒と外筒の間の空間（ガス流路）、
１４…火炎口形成部材、
１７…火炎口スリット、
２１…接続用ソケット、
２２…上方を開放し底部を閉鎖した筒状体、
２３…取り付け用ソケット、
２４…ガス供給配管との継ぎ手、
４０…ガス供給配管、
５０…棒部材、
５１…支持部材、
５４…繋ぎ棒、
５５…支持部材の上端部の大径部、
５６…マグネット、
５７…内部にマグネットを収容した筒部材、
５８…繋ぎ棒に固定された留め金、
５９…コイルバネ、
６０…位置決め用部材、
６１…磁気センサ、
６２…磁気センサを移動するときの操作具、
６４…継ぎ手内の通路、
７１…開閉弁、
７２…天板、
７３…制御手段、
７４…信号線。
【図１】
2013072557.tif 000003
【図２】
2013072557.tif 000004
【図３】
2013072557.tif 000005
【図４】
2013072557.tif 000006
【図５】
2013072557.tif 000007